(57)【要約】【課題】携帯電話（スマートフォン）や携帯型平面型ディスプレイのカメラ機能を使う場合、片手で撮影しながら、ズームイン、ズームアウトを行うことができない。【解決手段】携帯電話又は携帯型平面ディスプレイを把持装置の保持部に装着し、把持装置と携帯電話又は携帯型平面ディスプレイの表示面とをほぼ直角に保ち、当該保持部を有する把持装置を右手（又は左手）で把持し（握り）、握っている手の指（例えば親指）で、把持装置のダイヤルを操作することにより、焦点距離を変更し、ズームイン、ズームアウトを行う。また、同じ指で、撮影の開始、終了のスイッチを操作する（押す）。即ち１本の指で、撮影の開始、終了と焦点距離調節を行う。【選択図】図１
2016219868.tif 000002
【特許請求の範囲】
【請求項１】
画像撮影機能を有する携帯電話又は携帯型平面ディスプレイの筐体の一部を物理的に把持装置の一部に結合させ、把持装置を操作して、前記携帯電話又は携帯型平面ディスプレイの撮影機能を制御することを特徴とする把持装置。
【請求項２】
携帯電話又は携帯型平面ディスプレイを制御する信号を無線で送受することを特徴とする請求項１に記載の把持装置。
【請求項３】
携帯電話又は携帯型平面ディスプレイに対して、電力を供給することを特徴とする請求項１又は２に記載の把持装置。
【請求項４】
交流電力を供給することを特徴とする請求項１、２又は３に記載の把持装置。
【発明の詳細な説明】
【技術分野】
【０００１】
本発明は、携帯電話又は携帯型平面ディスプレイの撮影機能の制御方法に関し、片手での操作を可能とする把持装置に関するものである。
【背景技術】
【０００２】
従来、携帯電話又は携帯型平面ディスプレイを用いた撮影では、撮影の開始、終了は、例えば右手の親指のみで操作できた。しかし、ズームイン、ズームアウトを行う場合は、右手（又は左手）で携帯電話又は携帯型平面ディスプレイを把持し、左手（又は右手）の指で、携帯電話又は携帯型平面ディスプレイの情報表示面を抑え又はスライドすることにより行っていた。即ち、両手を同時に使う必要があり、使用上の利便性が欠けていた。
【先行技術文献】
【特許文献】
【０００３】
【特許文献１】特開２０１１−６６９３０号公報
【非特許文献】
【０００４】
【非特許文献１】無し。
【発明の概要】
【発明が解決しようとする課題】
【０００５】
しかしながら、特許文献１に開示された従来技術は、カメラにグリップを取付、カメラを肩の上の固定し、両手を解放して、撮影を継続するものであり、撮影中にズームイン、ズームアウトのような、撮影条件の制御を行うことは不可能であり、また、撮影の開始、終了時には、肩に載せたカメラを肩から下す必要が有った。
【課題を解決するための手段】
【０００６】
そこで本発明においては、携帯電話又は携帯型平面ディスプレイを把持装置の保持部に装着し、携帯電話又は携帯型平面ディスプレイの表示面と把持装置を、ほぼ直角に保ち、当該把持装置の下部を右手（又は左手）で把持し（握り）、把持している手の指（例えば親指）で、把持装置の操作ダイヤルを回すことにより、焦点距離を変更し、ズームイン、ズームアウトを行う。また、同じ指で、操作ダイヤルの中央のスイッチを押すことにより、撮影の開始、終了をおこなう。即ち１本の指で、撮影の開始、終了と焦点距離調節を行う。
【発明の効果】
【０００７】
本発明によれば、携帯電話又は携帯型平面ディスプレイを通常のムービーカメラと同じように取扱うことが出来る。即ち、片手で携帯電話又は携帯型平面ディスプレイのカメラを操作し、撮影の開始、終了及びズームイン、ズームアウト（焦点距離調節）することが出来る。
【図面の簡単な説明】
【０００８】
【図１】第１の実施形態において、携帯電話と把持装置を結合する前の状態を示す図である。
【図２】第１の実施形態において、携帯電話と把持装置を結合させ、右手で把持装置を把持した状態を示す図である。
【図３】第１の実施形態における、携帯電話と把持装置を構成する各機能ブロックを示す図である。
【図４】第２の実施形態における携帯電話と把持装置の結合前の状態を示す図である。
【図５】第２の実施形態における携帯電話の底面の接続端子（メス）の位置を示す図である。
【図６】第２の実施形態における携帯電話と把持装置を構成する各機能ブロックを示す図である。
【図７】第３の実施形態における、把持装置の電源入力端子（オス）と電源コードのオス端子の関係を示す図である。
【図８】第３の実施形態における携帯電話を構成する各機能ブロック及び把持装置を構成する各機能ブロックと電源端子（オス）と、AC−DC変換部並びに電源の関係を示す図である。
【図９】第４の実施形態における把持装置の携帯電話保持部の形状と携帯電話の関係を示す図である。
【発明を実施するための形態】
【０００９】
以下、本発明の第１の実施の形態について、図面を参照しつつ説明する。図１は、携帯電話又は携帯型平面ディスプレイ（以下単に携帯電話と記す）と、本発明の把持装置の関係を示す。図１において、１は本発明の把持装置であり、２は携帯電話である。２の携帯電話の下端（図１では右端）を図１の矢印の方向に動かし、１１Ａと１１Ｂで構成される把持装置１の保持部１１に装着して使用する。図２は携帯電話２を、把持装置１の保持部１１へ装着した状態を示す。図２の状態で、右手（又は左手。以下単に右手と記す）で把持装置１を握り、右手の親指３Ａを操作ダイヤル１３に当て、右または左に回すことにより、携帯電話２のカメラ２０２のレンズ２４（レンズは携帯電話の表示面の反対側即ち裏面にある）のズーム比率を変え、ズームイン又はズームアウトを行う。
【００１０】
ズームイン、ズームアウト即ちズーム比の変更(焦点距離調節）及び撮影開始、終了の制御を把持装置１の操作ダイヤル１２及びスイッチ１３で行うためには、携帯電話２の制御ソフトの変更が必要な場合がある。変更して用いる新たなソフトウエアはアプリケーションとして、携帯電話２にインストールする。携帯電話２が装備しているブルートゥースによる送受信機能を用いて、把持装置１から携帯電話２へ各種制御信号を無線で送る。以下、図３に示される機能ブロックと、図１及び図２を用いて、把持装置１と携帯電話２の動作を説明する。図３で１０１は把持装置内の各機能を制御する制御部であり、マイクロプロセッサー及び記憶装置とインターフェースで構成される。図３の１０２は操作部であり、図１のダイヤル１２、スイッチ１３、十字スイッチ１４とスイッチ１５等で構成される。図２において、親指３Ａによりダイヤル１２を右方向に回すと、図２の携帯電話の背面のカメラ２０２のレンズ２４のズーム比が大きくなりズームアップされる。即ち、図３の操作部１０２でダイヤル１２が右へ回転したことに対応するズームアップ信号を検出し、制御部１０１でこれを、携帯電話２を用いて撮影する場合のカメラ２０２のズームアップと同じ信号形式に変換し、ブルートゥース部１０５で、ブルートゥース信号とし、インターフェース１０４から無線により、携帯電話２のインターフェース２０４へ送信する。メモリ１０３は携帯電話２のカメラ２０２で撮影された動画を記憶するための大容量メモリである。動画撮影の場合は、データが大きくなり、携帯電話２の記憶部の容量を使い切る可能性が有るので、必要に応じ把持装置２のメモリ部１０３に記憶させるか、両者を併用するかを選択する。この切替は、自動又は手動で行う。１０６は把持装置２の構成部品に電力を供給する電源であり、１次電池でも２次電池でもよい。図２に示すように、右手で把持装置１を握った時の、握り易さを考えると、把持装置１の厚みは有る程度分厚い方が持ち易いので、電源部を単２又は単２のような大型電池で構成してもよい。
【００１１】
図２で、３Ｂは人差し指、３Ｃは中指、３Ｄは薬指、３Ｅは小指であるが、把持装置１の握り方は図２と同じでなくても差し支えない。図3のカメラ２０２のレンズ２４のズーム比を小さくしズームアウトする場合は、図２において、親指３Ａによりダイヤル１２を左方向に回す。また撮影の開始と終了は図２の親指３Ａで図１に示すスイッチ１３を押すことで実現できる。即ち、図１のスイッチ１３は押すごとに、撮影開始、終了を切り替えるスイッチである。なお、図１の十字キー１４は上下左右に押すことにより、４通りの機能を選択でき、更にスイッチ１５を押すことにより、モードを切り替えると、４×Ｎ通りの機能を選択できる。これらは、通常のムービーカメラが備えている機能と同等である。なお、図３で電源１０６から１０１〜１０５への電力供給をはじめとして、本発明の動作説明と関係のない結線等は省略してある。また、電源２０６から２０１〜２０９への電力供給をはじめとして、本発明の動作説明と関係のない結線等も省略してある。
【００１２】
次に、携帯電話２の動作について説明する。携帯電話に共通の機能についての詳細な動作説明は省く。図３において、全体制御部２０１はマイクロプロセッサー、記憶素子等で構成され、携帯電話２の通常の通話等の動作を制御する。図３の通信部２０８は、無線の通話或いはデータの情報を送受信する部分で、通常一般の携帯電話の当該機能部と同様の内容・機能である。表示部２０３は、携帯電話２で受信した画像、カメラ２０２で撮影した画像を表示するほか、入力した文字、記号、図形を表示する。把持装置１を結合していない場合は、表示部の一部にカメラ２０２を制御するためのソフトスイッチ（図形、記号等）を表示し、カメラ２０２のズーム比の変更即ちズームイン、ズームアウトや撮影開始、終了、静止画のシャッター機能などを実現する。なお、ソフトスイッチを表示せず、表示部３の表面を指でなぞることで、ズームイン、ズームアウトを実現する場合も有る。通常表示面は２層以上で構成され、一番外側は透明タッチパネルであり、保護膜がその外側に形成されている場合も有る。本発明の場合は、把持装置１で前記の機能を実行するので、表示部には、カメラの画像のみが表示される。図２の２０２は背面のレンズ２４と画像処理部からなるカメラであり、静止画及び動画の撮影機能を有する。把持装置１のダイヤル１２とスイッチ１３で実現する主たる機能は、ズーム比の変更（ズームイン、ズームアウト）とシャッターによる撮影の開始と終了である。それ以外の各種の画像補正機能等は、図１の十字キー１４とスイッチ１５で制御する。２０９はマイクとスピーカであり、通話に用いると共に、インターネット等で入手した音声の出力も行う。２０４はブルートゥースによる通信を行うインターフェース部であり、携帯電話２と外部機器との信号の送受信に使用される。２０４は通常の携帯電話が具備するものと同一でも支障は無く、ブルートゥース部２０５の出力を携帯電話外へ送信すると共に、ブルートゥース信号を受信する。図３のインターフェース１０４とインターフェース２０４の間で無線通信が行われる。図３の電源２０６は一般的には充電式のリチウムイオン電池である。図３の携帯電話２は、基本的なハードウエアの変更は行う必要はない。ソフトウエアについては、把持装置１による、携帯電話２の制御を円滑に行うため、制御部２０１の動作の一部を変更するアプリケーションのダウンロードを行う。２０７はバスラインである。
【００１３】
なお、図１において、２２は表示パネルであり、図３の表示部２０３の一部である。図１の２３はスイッチであり、携帯電話本体の動作を切替、制御する通常の携帯電話のスイッチと同等である。図１の２４は、図３のカメラ２０２のレンズであり、表示面の裏側に設置される。図１の２５は、図３のカメラ２０２のもう一つのレンズで、表示部と同一面にあり、自分の顔を表示パネルに表示するとともに、通話相手に自分の顔の画像を送るためにも使用できる。これら図１の２２、２３、２４、２５は通常の携帯電話が具備するものと同一で差し支えない。
【００１４】
次に第２の実施形態を図４を参照しながら説明する。図４において、把持装置１の接続端子（オス）４と携帯電話２の接続端子（メス）５を除くと、第１の実施例の図１、図２と同一である。以下相違点を図４と共に説明する。接続端子（オス）４は、通常の携帯電話と外部機器との接続用の端子（オス）と同一でよい。接続端子（メス）５は通常の携帯電話の同等機能のものと同一でよい。図４において携帯電話２の下端（図４では右端）を矢印の方向に動かし、把持装置１の保持部１１Ａと１１Ｂの間に挿入すると、接続端子（オス）４と接続端子（メス）５はかみ合い、電気的に接続される。この状態になると、ブルートゥースによる無線での通信を行わなくても、把持装置１のダイヤル１２及びスイッチ１３の操作（動き）が、携帯電話２へ伝えられるので、第１の実施形態と同様に、片手で携帯電話２のカメラ２０２のズームイン、ズームアウトの制御及び撮影開始、終了を行うことができる。把持装置１と携帯電話２を電気的に有線で結合することにより、携帯電話２の充電式電池を、把持装置２の電源１０６から充電することが可能になる。野外で、携帯電話２を長時間使用した場合は、図２の電源２０６（充電式電池）が放電し、通話できなくなる場合が有るが、把持装置１の電源は携帯電話２の電源より大容量にすることができるので、携帯電話２の連続通話時間を長くすることが可能になるという特徴もある。なお、携帯電話２の下部（図では右端）を正面から見た図（いわゆる底面図）を図５に示す。図５で２は携帯電話、２２は携帯電話２の表示面、５は携帯電話２の接続端子（メス）であり、ここに把持装置１の接続端子４（オス）が挿入される。図６は第２の実施形態における把持装置１と携帯電話２の各機能をブロックで示す図であり、図３との相違点は、把持装置１と携帯電話２を電気的に有線で接続する端子４及び端子５のみである。接続端子４とインターフェース１０４及び電源１０６とが有線で電気的に接続される。また接続端子５とインターフェース２０４及び電源２０６とが有線で電気的に接続される。なお、図６において電源１０６から１０１〜１０５への電力供給をはじめとして、本発明の動作説明と関係のない結線等は省略してある。また電源２０６から２０１〜２０９への電力供給をはじめとして、本発明の動作説明と関係のない結線等も省略してある。
【００１５】
次に図７、図８と共に第３の実施形態について説明する。図７において、６は把持装置１の電源接続用のオス端子であり、ＡＣ電源コード７のメス端子を挿入し、図８の１０６ＡＤにＡＣ電力を供給する。図８の１０６ＡＤは、商用電源（例えばＡＣ１００Ｖ）を直流電力に変換する変換回路即ち一般の降圧・整流回路と同等の内容である。１０６ＡＤから、図８の電源部１０６及び２０６へ直流を供給する。１０６ＡＤの出力で携帯電話２の電源２０６の２次電池を充電する。このような構成にすることにより、把持装置１の電源が２次電池の場合、これを充電するだけでなく、携帯電話２の電源２０６の２次電池を、商用電源から充電することも可能になる。旅行などで、携帯電話を静止画或いは動画撮影に使用する場合に生じる電池切れに対処するため、携帯電話専用の充電装置を持参する必要が無くなる。図７、図８に記載の１０６ＡＤは公知の降圧・整流装置（ＡＣ−ＤＣ変換装置）と同様の内容のものである。なお、図８において電源１０６から１０１〜１０５への電力供給をはじめとして、本発明の動作説明と関係のない結線等は省略してある。また電源２０６から２０１〜２０９への電力供給をはじめとして、本発明の動作説明と関係のない結線等も省略してある。
【００１６】
図９は第４の実施態様を示す。把持装置１の携帯電話保持部１１を、図９の１１Ｃ〜１１Ｈの形状とし、携帯電話２を保持部１１Ｄと１１Ｆの間に、破線で示すような状態で保持する。この場合は、携帯電話２と把持装置１の間の信号の送受信は、第１の実施態様の如く、ブルートゥースでよいが、携帯電話２の電源の２次電池の充電を行うためには、第２の実施態様の如く、把持装置１と携帯電話２とを有線で接続する必要が有り、図５及び図７に示されている把持装置１の端子４を把持装置１の筐体から切り離し、ケーブルの先端に端子４を取り付ける必要がある。ケーブルの他端は図３、図６、図８の電源１０６に電気的に接続される。図９において、１１Ｈは１１Ｄと１１Ｆをつなぐ板状の部品で、片側に１１Ｄ，他方に１１Ｆが取り付けられ、保持部を構成する。１１Ｃは１１Ｈを把持部本体に物理的に結合する支柱である。１１Ｈの片側１１Ｄは図９の１１Ｅで示される方向にスライドすることにより、異なる巾の携帯電話を保持することができる。支柱１１Ｃと１１Ｈの角度は、１１Ｈを図の矢印の方向に回すことにより変更する。１１Ｇは１１Ｃと１１Ｈをつなぐ回転軸である。図９の構成にすることにより、異なる巾の携帯電話２を保持することができ、携帯電話の表示面と把持装置１との角度を最適に設定することができる。
【実施例】
【００１７】
第１の実施例を図３に示す。図３で２はいわゆるスマートフォンであり、２の下端（図1、図２では右端）を、本把持装置１の保持部１１Ａと１１Ｂの間に挿入し、図２に示す如く右手で把持装置１を握り、カメラ２０２のレンズ２４を被写体の方に向け、いわゆる従来型のムービーカメラの操作と同じように、右手の親指のみで、撮影開始、終了、ズームイン、ズームアウトの操作を行う。
【００１８】
第２の実施例を図４を参照しながら説明する。図４において、２はいわゆるスマートフォンであり、把持装置１の保持部の幅はスマートフォン２の幅と同一である。また、把持装置１の端子４は、スマートフォン２の底面の接続端子（メス）に対応する位置にある。
【００１９】
第３の実施例を図７を参照しながら説明する。図７において、６は把持装置１の筐体の一面に設けられた、ＡＣ１００ボルトの入力用端子（オス）である。電源コードの先端７（メス）を６に挿入し、ＡＣ電源から、把持装置1へ交流電力を供給し、携帯電話１（スマートフォン）の2次電池を充電する。また、把持装置１の2次電池も充電する。
【００２０】
第４の実施例を図９を参照しながら説明する。保持装置を図９の形状にすることにより、スマートフォン以外の折り畳み形式の携帯電話も、保持することができる。図９の形態により、折り畳み形式の携帯電話の2次電池も充電することが可能になる。交流電源と把持装置を接続せず持ち歩くこともかのうである。
【産業上の利用可能性】
【００２１】
携帯電話のサイズは概ね共通であるので、多くの携帯電話に対し、1種類の保持装置で対応できる。また、図1の１１Ａと１１Ｂの間隔を可変にするか、図９の形状にすることにより、サイズの異なる携帯電話や、折り畳み型式の携帯電話にも対応することができる。把持装置と携帯電話や携帯型平面型ディスプレイとをケーブルで接続することにより、各種の形状の携帯電話や携帯型平面型ディスプレイに対応することができる。
【符号の説明】
【００２２】
１      把持装置
２      携帯電話
３      右手
３Ａ    親指
３Ｂ    人差し指
３Ｃ    中指
３Ｄ    薬指
３Ｅ    小指
４      把持装置１に設けられた接続端子（オス）
５      携帯電話２の下部面に設けられた接続端子（メス）      
１１    保持部
１２    操作ダイヤル
１３    スイッチ
１４    十字スイッチ
１５    スイッチ
２２    携帯電話２の表示面（パネル）
２３    携帯電話２の操作スイッチ
２４    携帯電話２の裏面にあるカメラ２０２のレンズ  
２５    携帯電話２の表示面にあるカメラ２０２のレンズ
【図１】
2016219868.tif 000003
【図２】
2016219868.tif 000004
【図３】
2016219868.tif 000005
【図４】
2016219868.tif 000006
【図５】
2016219868.tif 000007
【図６】
2016219868.tif 000008
【図７】
2016219868.tif 000009
【図８】
2016219868.tif 000010
【図９】
2016219868.tif 000011